(57)【要約】明細書及び図面は、封止テープと引裂ストリップの組み合わせ、封止テープと引裂ストリップの組み合わせを含んでなる物体、及び封止テープと引裂ストリップの組み合わせを使用して該物体を密封しそして後に開封する方法、の形態にある本発明の態様を説明しそして示す。この要約は、研究者又は他の読者がこの技術的開示の主題を迅速に確かめることを可能とする要約を必要とするルールに合致するように与えられていることが強調される。それが特許請求の範囲の範囲又は意味を解釈したり限定したりするのに使用されないという理解で提示されている。【特許請求の範囲】
【請求項１】
ａ）第１裏材及び該第１裏材の両面に塗布された感圧性接着剤を含んでなる両面接着性封止テープと、
ｂ）該両面接着性封止テープの一面にラミネートされた引裂ストリップであって、第２裏材及び該第２裏材の一面に塗布された感圧性接着剤を含んでなる引裂ストリップ、
を含んでなる接着テープ。
【請求項２】
該両面接着性封止テープの外面に塗布された剥離ライナーを更に含んでなる請求項１に記載の接着テープ。
【請求項３】
剥離ライナーの幅は両面接着性封止テープの幅より大きく、そのため剥離ライナーは該両面接着性封止テープの少なくとも１つの縁から突き出している請求項２に記載の接着テープ。
【請求項４】
該第１裏材がフイルム裏材である請求項１に記載の接着テープ。
【請求項５】
該第２裏材がフイルム裏材である請求項１に記載の接着テープ。
【請求項６】
引裂ストリップが該両面接着性封止テープの縁に沿って整合している請求項１に記載の接着テープ。
【請求項７】
引裂ストリップが一面で剥離材料によりコーティングされている請求項１に記載の接着テープ。
【請求項８】
引裂ストリップの幅が両面接着性封止テープの幅より小さい請求項１に記載の接着テープ。
【請求項９】
請求項１〜８のいずれか１つに記載の接着テープのロール。
【請求項１０】
請求項９に記載のトラバース巻されたロールを含んでなるスプール。
【請求項１１】
請求項１〜８のいずれか１つに記載の接着テープを含んでなるエンベロープ。
【請求項１２】
請求項１〜８のいずれか１つに記載の接着テープを含んでなる箱。
【請求項１３】
ａ）請求項１１に記載のエンベロープを用意し、
ｂ）少なくとも両面接着性封止テープを押し付けてエンベロープを密封し、そして
ｃ）少なくとも引裂ストリップを引っ張ってエンベロープを開封する、
段階を含んでなるエンベロープを密封しそして開封する方法。
【請求項１４】
ａ）請求項１２に記載の箱を用意し、
ｂ）少なくとも両面接着性封止テープを押し付けて箱を密封し、そして
ｃ）少なくとも引裂ストリップを引っ張って箱を開封する、
段階を含んでなる箱を密封しそして開封する方法。
【発明の詳細な説明】
【技術分野】
【０００１】
本発明は物体（ｏｂｊｅｃｔｓ）、例えば、パッケージ、例えばエンベロープ（ｅｎｖｅｌｏｐｅｓ）及び箱を密封し（ｓｅａｌ）そして開封する（ｏｐｅｎ）ことができる接着テープに関する。
【背景技術】
【０００２】
物体を密封するのに封止テープ（ｃｌｏｓｕｒｅ  ｔａｐｅｓ）を使用しそして後に物体を開封するのに引裂テープ（ｔｅａｒ  ｔａｐｅｓ）を引き離して、物体、例えばエンベロープ及び箱を密封しそして後に開封することは知られている。このような物体の製造は、別々の２つの段階、１つは封止テープを配置するための段階と第２は引裂ストリップ（ｔｅａｒ  ｓｔｒｉｐｓ）を配置するための段階を伴う。
【０００３】
物体を密封しそして後に開封するのに有用であるといわれている接着テープは特許文献１から知られている。それに記載の発明は密封及び開封機能の両方を達成するための両面接着テープ（ｄｏｕｂｌｅ−ｓｉｄｅｄ  ａｄｈｅｓｉｖｅ  ｔａｐｅｓ）の単一ピースの使用を含む。しかしながら、実際には、開封機能は必ずしも都合良く行われなかったり、物体はしばしば開封しない。
【特許文献１】
米国特許第５，６８３，０２９号
【発明の開示】
【課題を解決するための手段】
【０００４】
本発明は、第１の態様では、
ａ）第１裏材及び該第１裏材の両面に塗布された感圧性接着剤を含んでなる両面接着性封止テープ（ｄｏｕｂｌｅ−ｓｉｄｅｄ  ａｄｈｅｓｉｖｅ  ｃｌｏｓｕｒｅ  ｔａｐｅ）と、
ｂ）該両面接着性封止テープの一面にラミネートされた引裂ストリップであって、第２裏材及び該第２裏材の一面に塗布された感圧性接着剤を含んでなる引裂ストリップ、
を含んでなる接着テープに関する。
【０００５】
本発明は、第２の態様では本発明に従う接着テープを含んでなる物体に関する。、
本発明は、第３の態様では、
ａ）物体に本発明に従う記載の接着テープを装備し、
ｂ）少なくとも両面接着性封止テープを押し付けて（ｐｒｅｓｓ  ｏｎ）物体を密封し、そして
ｃ）少なくとも引裂ストリップを引っ張って（ｐｕｌｌ  ｏｎ）物体を開封する、
ことを含んでなる物体を密封しそして後に開封する方法に関する。
【発明を実施するための最良の形態】
【０００６】
図面において本発明の選択された態様を説明する。
【０００７】
ここで図面に示された態様を参照すると、図１は本発明に従う接着テープの１つの可能な構成を示す。この特定の態様では、接着テープ１０は封止テープ１１の一面にラミネートされた引裂ストリップ１２から構成される。示されたとおり、引裂ストリップ１２は封止テープ１１の１つの縁に沿って整合している。しかしながら、他の構成が可能であり、そして当業者には容易に思い浮かぶであろう。場合により、剥離ライナー２１は、引裂ストリップ１２と反対側の封止テープ１１の面に接着される。
【０００８】
図１に示された態様の１つの可能な構成は図２により詳細に示されている。図１に示された接着テープは複数の別個の層からなることは図２から明らかであろう。図２に示された構成に従えば、封止テープ１１は両面に塗布された感圧性接着剤層２２及び２４を有する裏材層２３を含んでなる。場合により、感圧性接着剤層の１つ、この場合には感圧性接着剤層２２はそれに接着された剥離ライナー２１を有する。引裂ストリップ１２は裏材層２６とそれに接着された感圧性接着剤層２７を含んでなる。場合により裏材層２６は感圧性接着剤層２４に面している側で剥離コーティング２５で処理される。このような処理は開封プロセス期間中封止テープからの引裂ストリップの分離を容易にするであろう。この特定の構成に従えば、引裂ストリップ１２は封止テープ１１にラミネートされる。図２に記載の層に加えて、所望により追加の層を含むことが可能である。
【０００９】
図２は本発明の特定のしかし場合により備える特徴を示す。示されたとおり、剥離ライナー２１の幅は封止テープ１１の残りのものの幅より大きい。剥離ライナー２１の延長部分はいわゆる「フィンガーリフト」（“ｆｉｎｇｅｒ  ｌｉｆｔ”）を与え、これは使用者が剥離ライナーを除去すること及び封止テープの粘着性表面を露出することをより容易にする。テープのいずれかの面又は両面に剥離ライナー２１の延長部分を設けて所望に応じて「右フィンガーリフト」、「左フィンガーリフト」又は「右及び左フィンガーリフト」を与えることができる。
【００１０】
剥離ライナーの使用は、接着テープがロールに巻かれることを許容し、これは使用するのに便利である。接着テープの一般に狭い幅が与えられると、接着テープの多数のロールを１つを他方の上にして「スプールに巻く」（“ｓｐｏｏｌ”）か又は「トラバース巻する」（“ｔｒａｖｅｒｓｅ−ｗｉｎｄ”）ことが可能であり、これはロール交換操作の数を減少させるのを助けることができる。スプールに巻かれたロールの長さはいかなる数の個々のロール又は「パンケーキ」ロール（“ｐａｎｃａｋｅ”  ｒｏｌｌ）の長さにも等しくすることができる。例えば、スプールに巻かれたロールは一般に６０〜１００のパンケーキロールを含むことができる。
【００１１】
感圧性接着剤組成物は当該技術分野で周知であり（例えば、Ｓａｍｕｅｌ  Ｃ．Ｔｅｍｉｎ，“Ｐｒｅｓｓｕｒｅ−Ｓｅｎｓｉｔｉｖｅ  Ａｄｈｅｓｉｖｅｓ  ｆｏｒ  Ｔａｐｅｓ  ａｎｄ  Ｌａｂｅｌｓ，”ｉｎ  Ｈａｎｄｂｏｏｋ  ｏｆ  Ａｄｈｅｓｉｖｅｓ，Ｔｈｉｒｄ  Ｅｄｉｔｉｏｎ，Ｅｄｉｔｅｄ  ｂｙ  Ｉｒｖｉｎｇ  Ｓｋｅｉｓｔ，  Ｃｈａｐｍａｎ  ＆  Ｈａｌｌ，Ｎｅｗ  Ｙｏｒｋ，１９９０，ｐａｇｅｓ  ６４１−６６３）参照）そして感圧性接着剤組成物層２２、２４及び２７のためのその選択は決定的に重要ではない。すべての３つの層の接着剤組成物は所望に応じて同じであるか又は異なることができる。適当な感圧性接着剤は単に例として、アクリル感圧性接着剤、天然ゴム感圧性接着剤、合成ゴム感圧性接着剤、ポリウレタン感圧性接着剤及びエチレン／酢酸ビニル感圧性接着剤を包含する。現場で（ｏｎ  ｓｉｔｅ）塗布される感圧性接着剤、例えば、プロセス機で裏材に塗布されるホットメルトコーティング又は水をベースとするコーティングも包含される。
【００１２】
接着性封止テープ及び引裂ストリップのための裏材も当該技術分野で周知であり、そしてその選択もまた、それぞれ封止及び引裂機能が都合良く行われうる限り決定的に重要ではない。特に、引裂ストリップ裏材は、それが接着テープが適用されるパッケージを実際に引き裂くことができるように選ばれるべきである。引裂の助けとして役立つように適当な点でパッケージに穴をあけることは開封を容易にするのを助けることができ、そしてまた引裂ストリップ裏材の必要な強度を減少させるのを助けることもできる。パッケージの開封を開始するために、引裂ストリップの全長に沿って穴をあけることは必要ではないが、当該技術分野で周知のとおり、引裂ストリップの一端又は両端の付近に穴があけられる。また、引裂ストリップの引裂強さは使用される引裂ストリップの幅を変えることにより所望のとおりに調節することができる。例えば、引裂ストリップの幅は箱開封のためには４ｍｍ及びエンベロープ開封のためには３ｍｍであることができる。
【００１３】
接着性封止テープ及び引裂ストリップのための裏材は、やはりそれぞれ封止及び引裂機能が都合良く行われうる限りは、必要に応じて強化されているか又はされていない紙、フイルム、布及びフォイルから選ぶことができる。接着性封止テープ用の裏材のための適当な基材は、ポリエチレン、ポリプロピレン及び他のフイルム裏材を包含する。引裂ストリップのための適当な基材は伸長させた（ｔｅｎｓｉｌｉｚｅｄ）ポリプロピレン又は他の高強度フイルム、フィラメント、ひも（ｓｔｒｉｎｇ）及び金属ストリップを包含する。接着性封止テープ及び引裂ストリップのための裏材は所望に応じて着色することができる。
【００１４】
感圧性接着剤組成物はいかなる多数の既知の方法においても裏材に塗布することができる。例えば、感圧性接着剤組成物は裏材上にコーティングすることができ、又は底部層が感圧性接着剤であるならば、溶液から剥離ライナー上にコーティングすることができる。感圧性接着剤組成物をホットメルトコーター、カレンダー又は押出機のいずれかを使用してホットメルトとして塗布することも可能である。
【００１５】
種々の層の厚さは使用される材料に依存して高度に変えることができる。一般に、所望に応じて、封止テープの厚さは３０〜３００ミクロンの範囲にありそして引裂ストリップの厚さは３０〜２５０ミクロンの範囲にある。
【００１６】
同様に、接着テープの構成部品（ｃｏｍｐｏｎｅｎｔｓ）の幅も所望に応じて変えることができる。一般に、やはり所望に応じて、封止テープの幅は８〜５０ミリメートルの範囲にありそして引裂ストリップの幅は２〜５ミリメートルの範囲にある。
【００１７】
剥離ライナー及び剥離コーティングのために、適当な材料が当該技術分野で周知でありそしてその選択は決定的に重要ではない。剥離ライナーは感圧性接着剤組成物が不十分に接着する材料でコーティングされる。同様に、剥離コーティングは同じ性質を有する。適当な材料はシリコーン剥離コーティング又は非シリコーン剥離コーティング、例えば、ワックス、セッケン、及び当該技術分野で周知の他のいかなる適当な材料も包含する。
【００１８】
上記した態様の操作においては、接着テープはすべてのタイプの物体、例えば、エンベロープ及び箱の如きパッケージに適用して、このような物体を密封したり後に開封するより効果的で信頼性のある手段を与えることができる。本発明は密封されていない物体（ｕｎｓｅａｌｅｄ  ｏｂｊｅｃｔｓ）及び密封された物体（ｓｅａｌｅｄ  ｏｂｊｅｃｔｓ）の両方、例えば、密封されていないパッケージ及び密封されているパッケージ、例えば、密封されていないエンベロープ及び箱並びに密封されていルエンベロープ及び箱を包含する。
【００１９】
図３に示されている１つの態様では、フラップ部分３１及び容器部分３２を含んでなるエンベロープ３０は、良好な封止及び信頼性のある開封を与えるのに最善であるとみなされるフラップ部分３１の部分を横切って戦略的に適用された接着テープ１０も含んでなる。前記したとおり、フラップ部分３１は全長又はその一部分に沿って接着テープ１０のいずれかの側又は両面に沿って穴をあけて密封されたエンベロープの後の開封を容易にすることができ、そして一般に、接着テープ１０の長さはそれが適用されるパッケージの長さより短かいことが最善である。
【００２０】
図４に示される他の態様では、フラップ部分４１及び容器部分４２を含んでなる箱４０はフラップ部分４１の一部分を横切って適用された接着テープ１０も含んでなる。やはり、フラップ部分４１は全長又はその一部分に沿って接着テープ１０のいずれかの側又は両面に沿って穴をあけて、密封されたエンベロープの後の開封を容易にすることができ、そしてやはり接着テープ１０の長さはそれが適用されるパッケージの長さより短いことが最善である。
【００２１】
箱及びエンベロープの外に、接着テープは他の物体及びパッケージ、例えば、安全パッケージ（ｓｅｃｕｒｉｔｙ  ｐａｃｋａｇｅｓ）、一時的接合部（ｔｅｍｐｏｒａｒｙ  ｊｏｉｎｔｓ）等に適用することもできる。
【００２２】
本明細書に記載のとおりの封止テープと引裂テープの組み合わせの使用は、このようなテープを含む物体を製造及び使用する方法を極めて容易にするという利点を有する。先行技術では、別々の封止テープと引裂テープがルーチンに適用されている場合には、それらを含むことを意図する物体にこのようなテープを別々に適用することが必要であった。また、２つの別々のテープを購入しそして在庫として保持することも必要であった。従って、本明細書に記載のとおりの封止テープと引裂テープの組み合わせの使用はこのような物体の製造プロセスを極めて簡単にする。
【００２３】
また先行技術においては、封止テープが物体を密封しそして後にそれを開封するという両方の機能に役立つように物体が適合している場合には、このようなテープはしばしば破損し、その結果テープを引っ張ることによりもはや物体を開封することができない。従って、本明細書に記載したとおりの封止テープと引裂テープの組み合わせの使用は物体を密封する手段とそれを後に開封するための信頼性のある手段を同時に与える。
【００２４】
上記した態様を下記の実施例を参照して更に詳細に説明することができる。
【実施例】
【００２５】
本発明に従う接着テープを下記の如く構成しそして使用する。
【００２６】
引裂ストリップは強いフイルム担体を有し、このフイルムの一面は感圧性接着剤でコーティングされておりそしてフイルムの他方の面はシリコーン又は非シリコーン剥離材料でコーティングすることができる。引裂ストリップテープはそれ自身の裏材、例えばｔｅｓａ  ７４９６テープ上に巻かれ（ｗｏｕｎｄ）、このｔｅｓａ７４９６テープは幅が１／８インチであり、伸長された（ｔｅｎｓｉｌｉｚｅｄ）ポリプロピレン裏材を含み、その一面に塗布された合成ゴム感圧性接着剤を有しそしてノースカロライナ州シャルロットの  ｔｅｓａ  ｔａｐｅ  ｉｎｃから入手可能である。
【００２７】
両面封止テープ（ｄｏｕｂｌｅ−ｓｉｄｅｄ  ｃｌｏｓｕｒｅ  ｔａｐｅ）はフイルム担体を有し、このフイルムの両面は感圧性接着剤でコーティングされている。封止テープは剥離ライナー、例えば、内部名称「ＳＲ１」を与えられたテープを有し、このテープは合成ゴム感圧性接着剤で両面をコーティングされたポリエステルの裏材を含みそして幅が３／４インチである。
【００２８】
引裂ストリップは封止テープ上にラミネートされる。引裂ストリップの接着面は上に向いており、そして引裂テープの剥離面は下に向いている。引裂ストリップの剥離面は下部の封止テープの接着面に接合されている。その場合には組み合わせテープはそのライナー上に巻かれる。（ライナーは１／４インチのフィンガーリフトを与えるために幅が１インチであることができる。）
ＳＲ１／７４９６という名称のこの組み合わせテープは、次いで箱又はエンベロープの上部フラップ上に適用することができる（封止テープ、ＳＲ１及び引裂ストリップ、７４９６の接着面は箱のこの上部フラップに接合される）。引裂ストリップは後に開封を開始するために箱の穴と整合するべきである。ＳＲ１／７４９６はフラップの縁までずっと延びてはいないで、フラップの両面に〜１／４インチのブランクを残す（ＳＲ１／７４９６テープで覆われていない）ことがより良好である。
【００２９】
封止操作期間中、剥離ライナーは除去され、ＳＲ１の他方の接着面が露出されそして箱の容器部分に接合されて封止を完了する。
【００３０】
開封期間中、引裂は上部フラップ（それに引裂ストリップ、７４９６が接合される）の穴のあいた部分により開始されそしてこの強い引裂ストリップにより続けられる。引裂ストリップは、引裂テープ７４９６の他方の面の剥離コーティングのため容易に封止テープ、ＳＲ１から離脱する（ｂｒｅａｋ  ａｗａｙ）ことができる。引裂ストリップが除去された後、次いで開封操作は完了される。
【００３１】
前記したことは単に本発明の示された態様の詳細な説明であること及び示された態様に対する多数の変更が本発明の精神又は範囲から逸脱することなく本明細書における開示に従ってなされうることは理解されるべきである。それ故、前記説明は本発明の範囲を限定することを意味しない。むしろ、本発明の範囲は特許請求の範囲及びそれらの均等物によってのみ決定されるべきである。
【図面の簡単な説明】
【００３２】
【図１】本発明に従う接着テープの下面図である。
【００３３】
【図２】図１に示された接着テープの断面図である。
【００３４】
【図３】図１に示された接着テープを含むエンベロープを示す図である。
【００３５】
【図４】図１に示された接着テープを含む箱を示す図である。
【国際公開パンフレット】
2004529260.tif 000002
2004529260.tif 000003
2004529260.tif 000004
2004529260.tif 000005
2004529260.tif 000006
2004529260.tif 000007
2004529260.tif 000008
2004529260.tif 000009
2004529260.tif 000010
2004529260.tif 000011
2004529260.tif 000012
2004529260.tif 000013
2004529260.tif 000014
2004529260.tif 000015
2004529260.tif 000016
【国際調査報告】
2004529260.tif 000017
2004529260.tif 000018